(57)【要約】  インターベンショナル手順の実行において使用するためのインターベンショナル器具２４は、インターベンショナル手順中に流体管の内腔において膨張し固定する、インターベンショナル器具の先端に近接して配置されるバルーン３０、及びインターベンショナル器具の先端に近接して配置される１つ以上の磁化率マーカ３４を含む。磁気共鳴スキャナ１０は、膨張したバルーンを越える流体管を通る流体の流れ４０が拡張磁気共鳴画像アーチファクト４２を生じる、磁気共鳴イメージングシーケンスを用いてインターベンショナル手順中にインターベンショナル器具の少なくとも先端を画像化するように構成される。
2012513792.tif 000002
【特許請求の範囲】
【請求項１】
インターベンショナル器具であって、
人又は動物の被験者の流体管への挿入用に構成される伸長部と、
前記伸長部の先端に近接して配置される、膨張すると前記流体管の内腔に固定するようなサイズのバルーンと、
前記伸長部の前記先端に近接して配置される、前記膨張したバルーンを越える前記流体管を通る流体の流れに対応する拡張磁気共鳴画像アーチファクトを生成する１つ以上の磁化率マーカとを有する、インターベンショナル器具。
【請求項２】
前記１つ以上の磁化率マーカが前記バルーンの上又は中に配置される、請求項１に記載のインターベンショナル器具。
【請求項３】
前記伸長部と前記バルーンがバルーンカテーテルを規定する、請求項１に記載のインターベンショナル器具。
【請求項４】
前記伸長部が前記被験者の血管系への挿入用に構成され、前記バルーンが膨張すると心臓の中又は付近の血管の内腔に固定するようなサイズである、請求項１に記載のインターベンショナル器具。
【請求項５】
前記伸長部の前記先端に近接して配置される、前記被験者の近接組織を除去するエネルギーを放出する電極又はトランスデューサをさらに有する、請求項１に記載のインターベンショナル器具。
【請求項６】
前記バルーンが水性流体で満たすことによって膨張し、前記トランスデューサが前記被験者の各組織を除去するために前記バルーンに近接する組織に集束される超音波エネルギーを放出する超音波トランスデューサを有する、請求項５に記載のインターベンショナル器具。
【請求項７】
前記１つ以上の磁化率マーカが、
前記膨張したバルーン内の前記水性流体に懸濁した常磁性又は強磁性粒子を有する、請求項６に記載のインターベンショナル器具。
【請求項８】
前記バルーンの上又は中に配置される前記１つ以上の磁化率マーカが、前記膨張したバルーン上に配置される磁化率マーカのマトリクスを有する、請求項１に記載のインターベンショナル器具。
【請求項９】
前記１つ以上の磁化率マーカが常磁性又は強磁性材料を有する、請求項１に記載のインターベンショナル器具。
【請求項１０】
前記１つ以上の磁化率マーカが前記バルーンを充満させる常磁性又は強磁性粒子を有する、請求項１に記載のインターベンショナル器具。
【請求項１１】
前記１つ以上の磁化率マーカが、鋼、鉄、ニッケル、コバルト、ガドリニウム、ジスプロシウム、二酸化鉄、二酸化ジスプロシウム、及び二酸化クロムからなる群から選択される材料を有する、請求項１に記載のインターベンショナル器具。
【請求項１２】
インターベンショナルシステムであって、
インターベンショナル手順の実行において使用するためのインターベンショナル器具であって、前記インターベンショナル器具は、（i）前記インターベンショナル器具の先端に近接して配置される、前記インターベンショナル手順中に流体管の内腔において膨張し固定するバルーンと、（ii）前記インターベンショナル器具の前記先端に近接して配置される１つ以上の磁化率マーカとを含む、インターベンショナル器具と、
前記膨張したバルーンを越える前記流体管を通る流体の流れが拡張磁気共鳴画像アーチファクトを生じる、磁気共鳴イメージングシーケンスを用いて前記インターベンショナル手順中に前記インターベンショナル器具の少なくとも前記先端を画像化する磁気共鳴スキャナとを有する、インターベンショナルシステム。
【請求項１３】
前記磁気共鳴スキャナが、（i）定常状態自由歳差運動イメージングシーケンス、及び（ii）エコープラナーイメージングシーケンスのうちの１つを用いて前記インターベンショナル手順中に前記インターベンショナル器具の少なくとも前記先端を画像化する、請求項１２に記載のインターベンショナルシステム。
【請求項１４】
前記磁気共鳴スキャナが、シネマティックイメージングを用いて前記インターベンショナル手順中に前記インターベンショナル器具の少なくとも前記先端を画像化する、請求項１２に記載のインターベンショナルシステム。
【請求項１５】
前記インターベンショナル器具が組織アブレーション手順を実行する、請求項１２に記載のインターベンショナルシステム。
【請求項１６】
前記磁気共鳴スキャナがさらに、磁気共鳴信号の温度シフトに基づく温度マッピングを実行する、請求項１２に記載のインターベンショナルシステム。
【請求項１７】
インターベンショナル手順であって、
人又は動物の被験者の流体管にインターベンショナル器具の先端を挿入するステップと、
前記流体管を通る流体の流れを遮るために前記インターベンショナル器具の前記先端に近接するバルーンを膨張させるステップであって、前記膨張したバルーンは常磁性又は強磁性材料を有する、ステップと、
前記常磁性又は強磁性材料を有する前記膨張したバルーンの磁気共鳴イメージングを実行することによって前記流体の流れの閉塞を評価するステップとを有する、インターベンショナル手順。
【請求項１８】
前記評価に基づいて前記膨張したバルーンの十分な配置を決定するステップと、
前記決定の後に治療手順を実行するステップをさらに有する、請求項１７に記載のインターベンショナル手順。
【請求項１９】
前記治療手順が組織アブレーション手順を有する、請求項１８に記載のインターベンショナル手順。
【発明の詳細な説明】
【技術分野】
【０００１】
以下は医術、循環器内科技術、磁気共鳴技術、インターベンショナル磁気共鳴技術、及び関連用途に関する。
【背景技術】
【０００２】
カテーテル又は他のインターベンショナル器具を用いるインターベンショナル手順が知られている。インターベンショナル器具は人又は動物の被験者の動脈若しくは静脈又は他の流体管の中に挿入され、インターベンショナル器具の先端が、インターベンショナル治療を受ける心血管、心臓弁、心血管筋組織、又は他の解剖学的特徴若しくは領域の最も近くに移動されるように、例えば磁気共鳴イメージング又は別の医用画像診断法によって提供される視覚的ガイド下で操作される。こうした手順においては、インターベンショナル器具の先端を所望の位置に固定することがしばしば望まれる。バルーンカテーテルにおいて、先端に配置される小さなバルーンは挿入中に収縮し、先端が所望の位置に達するときに膨張して、膨張したバルーンが拡張して血管腔を圧迫し、カテーテルの遠位端を固定するようになっている。バルーン血管形成において、バルーンの膨張は血管収縮又は狭窄を機械的に広げることを目的とする。いくつかの他の手順において、膨張したバルーンは、別の治療手順、例えば組織アブレーションを用いる心房細動の治療のための肺静脈隔離などを実行するための固定基準を提供するために、インターベンショナル器具の先端を固定する。この場合、バルーンはアブレーションカテーテルの一部であり、治療中、通常は肺静脈口の１つに位置する。
【０００３】
このバルーンカテーテルを用いる血管内組織アブレーションのインターベンショナル手順の例において、ＲＦ電極又は超音波トランスデューサなどのトランスデューサ、半導体レーザ装置、低温装置などは、不整脈信号をブロックするために、又は他の治療を提供するために、近接組織を局所的に損なうエネルギーを出力する。この技術において、カテーテル先端バルーンによって提供されるアンカーはアブレーション治療のための明確な基準位置を提供する。この技術は例えば心房細動などの心不整脈を治療するために使用される。
【０００４】
カテーテル又は他のインターベンショナル器具を用いるインターベンショナル手順は、バルーンを介するカテーテル先端の固定の正確な制御を必要とする。例えば、肺静脈の心房細動アブレーションにおいて、バルーン多点アブレーションは、アブレーション装置の位置決めの簡略化、全周囲アブレーションの手順の迅速化、及びまた肺静脈隔離（ＰＶＩ）の完全性の確保という利点を持つ。通常、無線周波数（ＲＦ）、超音波、低温（すなわち冷凍）、又はレーザアブレーションがこうしたバルーン装置を用いて実行されることができる。いくつかのこうした手順にとって、閉じたアブレーションリングを確実にするために組織への均一な接触が望まれる。
【０００５】
問題のあることに、被験者へのインターベンショナル器具の挿入をガイドするために通常使用される磁気共鳴イメージングは、従来、静脈又は他の流体管におけるバルーンの固定を検証及び観察するために有用ではなかった。代わりに、バルーン先端固定を観察するためにｘ線ガイドが通常は使用される。このアプローチにおいて、バルーン固定及び流体管の閉鎖は、配置され膨張したバルーンを通過する残留肺静脈流を評価する造影透視法を用いて観察される。低温アブレーションの場合、この方法は低温接着が装置を固定するために有効であるかどうかを検出し、ＲＦアブレーション中に持続的で適切な組織接触を確保するように閉鎖を観察する。ｘ線ガイドの使用は、電離ｘ線放射の使用、及び腎毒性造影剤又は他の侵襲的造影剤媒体の使用を含む、ある欠点を持つ。
【発明の概要】
【発明が解決しようとする課題】
【０００６】
以下は上記の問題などを克服する新規の改良された装置及び方法を提供する。
【課題を解決するための手段】
【０００７】
開示の一態様によれば、インターベンショナル器具は、人又は動物の被験者の流体管への挿入用に構成される伸長部、伸長部の先端に近接して配置される、膨張すると流体管の内腔に固定するようなサイズのバルーン、及び、伸長部の先端に近接して配置される、膨張したバルーンを越える流体管を通る流体の流れに対応する拡張磁気共鳴画像アーチファクトを生成するように構成される１つ以上の磁化率マーカを有する。
【０００８】
別の開示の態様によれば、インターベンショナルシステムは、インターベンショナル手順の実行において使用するためのインターベンショナル器具であって、該インターベンショナル器具は、（i）インターベンショナル器具の先端に近接して配置される、インターベンショナル手順中に流体管の内腔において膨張し固定するバルーンと、（ii）インターベンショナル器具の先端に近接して配置される１つ以上の磁化率マーカとを含む、インターベンショナル器具、及び、膨張したバルーンを越える流体管を通る流体の流れが拡張磁気共鳴画像アーチファクトを生じる、磁気共鳴イメージングシーケンスを用いてインターベンショナル手順中にインターベンショナル器具の少なくとも先端を画像化するように構成される磁気共鳴スキャナを有する。
【０００９】
別の開示の態様によれば、インターベンショナル手順は、人又は動物の被験者の流体管へインターベンショナル器具の先端を挿入するステップ、流体管を通る流体の流れを遮るためにインターベンショナル器具の先端に近接するバルーンを膨張させるステップであって、膨張したバルーンは常磁性又は強磁性材料を有するステップ、及び常磁性又は強磁性材料を有する膨張したバルーンの磁気共鳴イメージングを実行することによって流体の流れの閉塞を評価するステップを有する。
【００１０】
１つの利点は、バルーンカテーテルを利用するインターベンショナル治療中の血管内造影剤の投与の排除にある。
【００１１】
別の利点は、バルーンカテーテルを利用するインターベンショナル手順中のバルーン固定及び血管閉鎖の質の観察中の電離放射線の使用を回避することにある。
【００１２】
別の利点は、例えば心房細動の治療における肺静脈のアブレーション中に適切な完全周囲接触を確実にするために、バルーンカテーテルを利用するインターベンショナル手順中のバルーン固定及び血管閉鎖の質を観察するために磁気共鳴スキャナの使用を可能にすることにある。
【００１３】
さらなる利点は以下の詳細な説明を読んで理解することで当業者に明らかとなるだろう。
【図面の簡単な説明】
【００１４】
【図１】バルーンが少なくとも１つの磁化率マーカを含む、バルーンを備えた先端を持つインターベンショナル器具、及びインターベンショナル手順を観察するための磁気共鳴スキャナを含む、インターベンショナル磁気共鳴システムを図示する。
【図２】脱位相スピン流による非局在画像アーチファクトをもたらす血管腔と不均一接触するバルーンを持つカテーテル先端の概略図を示す。
【図３】血管腔と実質的に均一接触するバルーンを持つカテーテル先端の概略図を示す。
【発明を実施するための形態】
【００１５】
図１を参照すると、インターベンショナル磁気共鳴システムは、インターベンショナル手順を受ける人の被験者１２を画像化する磁気共鳴（ＭＲ）スキャナ１０を含む。被験者１２は適切な被験者支持部１４上に配置される。人の被験者の代わりに、獣医又は前臨床インターベンショナル手順を受ける動物の被験者もまた考慮される。ＭＲスキャナ１０は、例えばＡｃｈｉｅｖａ（登録商標）、Ｉｎｔｅｒａ（登録商標）、又はＰａｎｏｒａｍａ（登録商標）ＭＲシステム（Ｋｏｎｉｎｋｌｉｊｋｅ  Ｐｈｉｌｉｐｓ  Ｎ．Ｖ．，Ｅｉｎｄｈｏｖｅｎ，ｔｈｅ  Ｎｅｔｈｅｒｌａｎｄｓから利用可能）であり得るが、他の市販の又は非商用のＭＲスキャナもまた使用されることができる。図示のＭＲスキャナ１０は、スキャナボア内部の被験者１２を検査するための、側断面図で図示される水平円筒ボアスキャナである。しかしながら、Ｐａｎｏｒａｍａ（登録商標）ＭＲシステムなどのオープンボアスキャナもまた使用されることができる。オープンＭＲスキャナは、インターベンショナル手順を実行する医師又は他の医療関係者又はロボット装置にとって増加した運動の自由度に関する利点を提供し得る。
【００１６】
ＭＲスキャナ１０は、静磁場（Ｂ０）を生じるように常伝導又は超伝導主磁石に電力供給するため、選択された傾斜磁場を静磁場Ｂ０に重ねるよう傾斜磁場コイルを駆動するため、磁気共鳴を励起するための無線周波数場（Ｂ１）を生じるように無線周波数コイル又はコイルアレイを活性化するため、無線周波数コイル又はコイルアレイ（一般にＢ１場発生に使用されるものと同じ又は異なるコイル又はコイルアレイであり得る）を介して磁気共鳴信号を受信するためなど、適切な電源、電子機器、及び他の制御部品によって制御される。これらの電源、電子機器、及び他の部品はＭＲコントローラ１６として図１にまとめて図示される。ＭＲスキャナ１０及びスキャンコントローラ１６は、例えばエコープラナーイメージング（ＥＰＩ）、定常状態自由歳差運動（ＳＳＦＰ）イメージングなどの実質的に任意の磁気共鳴イメージングシーケンスを実施するために使用されることができる。得られるイメージングデータは画像再構成及び画像処理サブシステム１８によって適切に処理され、これは適切にプログラムされたコンピュータ若しくは他のプログラム可能なデジタル装置によって、又は特定用途向け集積回路（ＡＳＩＣ）によって、又はプログラムされたデジタルプロセッサとＡＳＩＣの組み合わせなどによって具体化され得る。画像再構成及び画像処理サブシステム１８は、取得した磁気共鳴イメージングデータから再構成画像を生成するためにイメージングシーケンスによって実施される空間エンコーディングに適合するフーリエ変換画像再構成又は別の画像再構成アルゴリズムを利用する。再構成画像、又はその選択部分、例えば二次元スライス若しくは最大値投影（ＭＩＰ）などは、コンピュータ２２のディスプレイ２０又は他のユーザインターフェース装置上に適切に表示される。一部の実施形態において、ユーザインターフェースコンピュータ２２はまた、ＭＲコントローラ１６の一部若しくは全て、及び／又は再構成若しくは画像処理部品１８の一部若しくは全てを具体化する。
【００１７】
引き続き図１を参照し、さらに図２及び図３を参照すると、インターベンショナル手順は、インターベンショナル器具コントローラ２６によって図１にまとめてあらわされる適切な制御電子機器、電源供給部品、ロボットマニピュレータなどと連動して動作するインターベンショナル器具２４を用いて実行される。インターベンショナル器具２４は、その少なくとも先端が人若しくは動物の被験者の血管若しくは他の流体管への挿入用に構成される伸長部２８、及び伸長部２８の先端に近接して配置されるバルーン３０を含む。当然のことながら図は縮尺通りでなく、特にバルーン３０は図１において典型的な実際のサイズよりもかなり大きく描かれている。また、図はバルーン３０を膨張形態で図示し、一般に伸長部２８の被験者１２への挿入中にバルーンは収縮する。伸長部２８とバルーン３０は、例えばバルーンカテーテルを規定し得る。挿入中、磁気共鳴スキャナ１０は、被験者１２の内部における伸長部２８、特にその先端の位置を観察するために使用される。図示の心臓手術において、伸長部２８は先端が心臓の中又は付近の血管の内腔に位置するまで挿入される。伸長部２８が所望の位置に、例えば図示の肺静脈隔離（ＰＶＩ）手順の場合は肺静脈口ＰＶ付近に位置すると、バルーン３０はバルーン３０を、従って伸長部２８の先端を固定基準位置に固定するために、肺静脈ＰＶの内腔と係合するように膨張する。より一般的には、バルーン３０は膨張すると流体管の内腔に固定するようなサイズである。当然のことながら、膨張するバルーンは内腔壁と係合するためにかなりの範囲にわたって膨張することができるので、このサイジングは特に正確である必要はない。バルーン３０の膨張は、コントローラ２６から伸長部２８を通って通過し、バルーン３０と接続する適切な流体入口経路（不図示）を用いて実現される。一部の実施形態において、水性流体３２が膨張したバルーン３０を満たす。
【００１８】
インターベンショナル器具２４の先端に近接するバルーン３０は、流体管を通る流体の流れ、特に図示の場合は肺静脈ＰＶにおける血流を遮るために膨張する。しかしながら、バルーン３０が静脈内腔に不十分に位置する場合、流体の流れの閉塞は不完全になり得る。
【００１９】
この問題に対処するために、膨張したバルーン３０は１つ以上の磁化率マーカを規定する常磁性又は強磁性材料を有する。適切な強磁性材料のいくつかの例は、鋼、鉄、ニッケル、コバルト、ガドリニウム、又はジスプロシウムを含む。適切な常磁性（超常磁性を含む）材料のいくつかの例は、二酸化鉄、二酸化ジスプロシウム、及び二酸化クロムを含む。図示の実施形態において、常磁性又は強磁性材料は膨張したバルーン上に配置される磁化率マーカ３４のマトリクスの形をとる。他の考慮される実施形態において、常磁性又は強磁性材料はバルーンを充満させる常磁性又は強磁性粒子の形をとり得る。バルーン３０が図示の水性流体３２を用いて膨張する、さらに他の考慮される実施形態においては、常磁性又は強磁性材料が、膨張したバルーン３０内の水性流体３２に懸濁した常磁性又は強磁性粒子を有することが考慮される。これらの配置の様々な組み合わせもまた考慮される。
【００２０】
磁化率マーカ３４は、常磁性又は強磁性材料３４を有する膨張したバルーン３０の磁気共鳴イメージングを実行することによって膨張したバルーン３０による流体の流れの閉塞の評価を可能にする。膨張したバルーン３０周辺の局所血流４０は、常磁性又は強磁性材料標識した膨張したバルーン３０を越える血流４０の陽子の磁化率タギングによって磁気共鳴画像において検出可能である。常磁性又は強磁性材料３４にごく接近する膨張したバルーン３０を越える血流４０の陽子はさらなる位相を蓄積し、従って図２の膨張したバルーン３０によって提供される不十分な閉鎖を越える流体管（図２の肺静脈口ＰＶ）を通る流体の流れ（図２の静脈血流４０）に対応する拡張磁気共鳴画像アーチファクト４２（図２参照）として磁気共鳴画像に視覚化される。例えばエコープラナーイメージング（ＥＰＩ）又は平衡定常状態自由歳差運動シーケンス（平衡ＳＳＦＰ）イメ−ジングを含む、実質的に任意の磁気共鳴画像法が使用されることができる。有利なことに、画像アーチファクト４２を規定する脱位相した血液は、装置の不完全な位置決めが局所残留流をもたらす場合に空間に拡張され、従って拡張画像アーチファクト４２は、流れ関連画像アーチファクト４２の拡張性質又は分布によって、漂遊強磁性粒子などに起因する離散磁化率アーチファクト（例えば完全閉鎖及び局所流不在の場合の図示の離散磁化率アーチファクト４４など）から容易に区別される。従って局所流は常磁性又は強磁性材料３４による陽子の局所位相タギングによってバルーン３０において測定されることができる。
【００２１】
局所血流４０の検出は、膨張したバルーン３０によって提供される流体の流れに対する閉鎖のリアルタイムの評価を可能にする。図３は膨張したバルーン３０が静脈血流に対する十分な閉鎖を提供する状況を描く。血流４０は十分な閉鎖によって除かれるため、拡張磁化率アーチファクト４２は存在しない。図３において離散磁化率アーチファクト４４は見えたままであるが、アーチファクト４４の離散的及び非拡張性質のために血流とは関係がないことが容易に認識される。
【００２２】
膨張したバルーン３０によって提供される閉鎖を評価するための開示のアプローチは、ＥＰＩ又はＳＳＦＰなどの通常のリアルタイム磁気共鳴イメージングシーケンスを用いて実行されることができる。拡張磁化率アーチファクト４２を検出するためにシネマティック（ＣＩＮＥ）画像シーケンスの使用が時に有用である。有利なことに、磁気共鳴イメージングは通常は被験者１２へのインターベンショナル器具２４の挿入をガイドするために使用される。従って開示のアプローチは、単一画像診断法、すなわち磁気共鳴イメージングが、インターベンショナル器具２４の挿入のためのガイド、及び膨張したバルーン３０によって提供される流体の流れに対する閉鎖の評価の両方を提供することを可能にする。さらなる利点として、マーカマトリクス３４は肺静脈口ＰＶについて膨張したバルーン３０の正確な局在を提供する。磁気共鳴イメージングはその上、追加の造影剤を要することなく軟組織コントラスト及び血管腔視覚化の利点を提供し、磁気共鳴イメージングの優れたガイド能力をもたらす。
【００２３】
インターベンショナル手順はバルーン閉鎖が検証されるとすぐに実行される。バルーン血管形成手順の場合、バルーン膨張は血管収縮又は狭窄を機械的に広げるために血管腔壁に圧力をかけるために継続する。バルーン３０によって提供される固定及び閉鎖を観察するための開示の技術は、バルーン３０が位置を変化させる、血流漏出を発展させる、又は他の方法で失敗しないことを確実にするために、血管形成手順全体にわたって使用されることができる。
【００２４】
引き続き図２と図３を参照すると、組織アブレーション手順のために適切な電極又はトランスデューサ５０が伸長部の先端に近接して配置され、被験者の近接組織を除去するエネルギーを放出するように構成される。例えば、素子５０は組織にエネルギーを供給するために組織への接触をもたらす導体素子を有する電極であり得る。素子５０は或いはトランスデューサ５０であってもよく、例えばレーザアブレーションを実行するために電気エネルギーを光エネルギーに変換する半導体レーザ、アブレーションを実行するために電気エネルギーをＲＦ出力に変換する無線周波数（ＲＦ）マイクロトランスミッタ、組織を除去する超音波エネルギーに電気エネルギーを変換する超音波トランスデューサなどであり得る。トランスデューサ５０はインターベンショナル器具２４の伸長部２８を通過する電線（不図示）によって適切に電力供給される。バルーン３０が図示の水性流体３２で満たすことによって膨張するように構成される場合、一部の実施形態においてトランスデューサ５０は、被験者１２の各組織を除去するためにバルーンに近接する組織に集束される超音波エネルギーを放出するように構成される超音波トランスデューサである。レーザアブレーションの場合、トランスデューサ５０は、伸長部２８の先端に外部ソースからのレーザエネルギーを運ぶために伸長部２８をたどる光ファイバによって随意に置き換えられる。
【００２５】
流体の流れに対する閉鎖の評価のための開示の技術は、水性流体３２を用いて膨張したバルーン３０を用いる肺静脈の周辺アブレーションを含むＭＲガイド電気生理学インターベンションにおいて使用されることができる。該技術はまた、他の種類の血管内流量測定、又は経皮ＭＲガイド腫瘍アブレーション中の局所対流熱輸送を評価するためにも適用可能である。心臓インターベンショナル手順の場合、一般的に、バルーン３０は膨張すると心臓の中又は付近の血管の内腔において固定するように構成される。
【００２６】
バルーン閉鎖を評価するために使用される磁気共鳴イメージングシーケンスが長いエコー時間を利用する場合、イメージングシーケンスは随意に温度を評価するためにも使用されることができる。陽子共鳴周波数は温度の関数であり、セ氏度（℃）当たり約１００ｐｐｍ周波数シフトを持つ。つまり、陽子共鳴周波数は約１００ｐｐｍ／℃の割合で温度とともにシフトする。従って、磁気共鳴信号の温度シフトに基づく温度マッピングが、バルーン閉鎖の評価と同時に連続的に組織アブレーション手順の近くで実行されることができる。
【００２７】
さらに、図示の磁化率マーカ３４は膨張したバルーン３０上に配置されて示されるが、磁化率マーカ又はマーカ群は、例えばインターベンショナル器具２４の先端に近接する伸長部２８の遠位端付近など、インターベンショナル器具２４の先端に近接する他の場所にも配置され得る。
【００２８】
本発明は好適な実施形態を参照して記載されている。修正及び変更は前述の詳細な説明を読んで理解することで想到され得る。本発明は、こうした修正及び変更が添付の請求項又はその均等物の範囲内にある限り全て含むものと解釈されることが意図される。
【図１】
2012513792.tif 000003
【図２】
2012513792.tif 000004
【図３】
2012513792.tif 000005
【国際調査報告】
2012513792.tif 000006
2012513792.tif 000007
2012513792.tif 000008
2012513792.tif 000009